(57)【要約】【課題】ユーザが煩雑な操作を行うことなく、ワンセグメント放送受信装置が、受信可能なエリアワンセグメント放送のチャンネル情報を入手することができるエリアワンセグメント放送のチャンネル情報送信装置を提供する。【解決手段】無線ＬＡＮ制御機２２は、エリアワンセグメント放送の物理チャンネル番号を含む文字列よりなるＳＳＩＤであることを示す識別子と、エリアワンセグメント放送のチャンネル情報とを含む文字列によってＳＳＩＤを設定する。無線ＬＡＮ制御機２２は、設定されたＳＳＩＤを無線ＬＡＮ送信機２０ａ，２０ｂより無線ＬＡＮの電波によって送信させる。無線ＬＡＮ制御機２２は、エリアワンセグメント放送のチャンネル情報送信装置として機能する。【選択図】図１
2015136085.tif 000002
【特許請求の範囲】
【請求項１】
エリアワンセグメント放送の物理チャンネル番号を含む文字列よりなるＳＳＩＤであることを示す識別子と、エリアワンセグメント放送のチャンネル情報とを含む文字列によってＳＳＩＤを設定するＳＳＩＤ設定部と、
前記ＳＳＩＤ設定部によって設定されたＳＳＩＤを無線ＬＡＮ送信機より無線ＬＡＮの電波によって送信させるＳＳＩＤ送信制御部と、
を備えることを特徴とするエリアワンセグメント放送のチャンネル情報送信装置。
【請求項２】
前記ＳＳＩＤ設定部は、前記識別子と、前記チャンネル情報として物理チャンネル番号とを含む文字列によってＳＳＩＤを設定することを特徴とする請求項１記載のエリアワンセグメント放送のチャンネル情報送信装置。
【請求項３】
無線ＬＡＮの電波によって送信されるＳＳＩＤを取得するＳＳＩＤ取得部と、
前記ＳＳＩＤ取得部が取得したＳＳＩＤから、エリアワンセグメント放送のチャンネル情報を含む文字列によって形成されたＳＳＩＤであることを示す識別子を検出したとき、前記ＳＳＩＤより前記チャンネル情報を抽出するＳＳＩＤ解析部と、
前記ＳＳＩＤ解析部が抽出した前記チャンネル情報に基づいて、映像表示部に表示され、エリアワンセグメント放送を選局するための文字または画像を含む視覚情報を生成する視覚情報生成部と、
を備えることを特徴とするワンセグメント放送受信装置。
【請求項４】
前記視覚情報生成部は、ワンセグメント放送のチャンネル情報とエリアワンセグメント放送のチャンネル情報とを含むチャンネル情報の一覧を前記視覚情報として生成することを特徴とする請求項３記載のワンセグメント放送受信装置。
【発明の詳細な説明】
【技術分野】
【０００１】
本発明は、エリアワンセグメント放送のチャンネル情報送信装置及びワンセグメント放送受信装置に関する。
【背景技術】
【０００２】
地上デジタル放送の１チャンネルの周波数帯域を構成する１３セグメントのうちの１セグメントを利用したワンセグメント放送（以下、ワンセグ放送と略記することがある）が普及している。
【０００３】
地上デジタル放送の空きチャンネルを利用し、放送事業者による放送とは異なる特定の地域限定のコンテンツ（番組）を放送するエリアワンセグメント放送（以下、エリアワンセグ放送と略記することがある）が普及し始めている。エリアワンセグ放送は、例えば、期間限定で開催されるイベント会場でイベントに関連した独自の情報を配信するために用いられる。
【先行技術文献】
【特許文献】
【０００４】
【特許文献１】特開２０１２−２４４４９６号公報
【発明の概要】
【発明が解決しようとする課題】
【０００５】
エリアワンセグ放送のコンテンツを視聴するには、ワンセグ放送の受信端末（ワンセグメント放送受信装置）において受信地域を設定し、チャンネルスキャンを実行して、放送されているエリアワンセグ放送のチャンネルを選択するという煩雑な操作を行う必要がある。
【０００６】
エリアワンセグ放送の普及のためには、ユーザが煩雑な操作を行うことなく、受信可能なエリアワンセグ放送のチャンネルを選択可能であることが求められる。そのために、ユーザが煩雑な操作を行うことなく、ワンセグメント放送受信装置が受信可能なエリアワンセグメント放送のチャンネル情報を入手可能であることが求められる。
【０００７】
本発明はこのような要望に対応するため、ユーザが煩雑な操作を行うことなく、ワンセグメント放送受信装置が、受信可能なエリアワンセグメント放送のチャンネル情報を入手することができるエリアワンセグメント放送のチャンネル情報送信装置を提供することを目的とする。
【０００８】
また、本発明は、ユーザが煩雑な操作を行うことなく、受信可能なエリアワンセグ放送のチャンネルを選択することができるワンセグメント放送受信装置を提供することを目的とする。
【課題を解決するための手段】
【０００９】
本発明は、上述した従来の技術の課題を解決するため、エリアワンセグメント放送の物理チャンネル番号を含む文字列よりなるＳＳＩＤ（Service Set Identifier）であることを示す識別子と、エリアワンセグメント放送のチャンネル情報とを含む文字列によってＳＳＩＤを設定するＳＳＩＤ設定部と、前記ＳＳＩＤ設定部によって設定されたＳＳＩＤを無線ＬＡＮ送信機より無線ＬＡＮの電波によって送信させるＳＳＩＤ送信制御部とを備えることを特徴とするエリアワンセグメント放送のチャンネル情報送信装置を提供する。
【００１０】
また、本発明は、上述した従来の技術の課題を解決するため、無線ＬＡＮの電波によって送信されるＳＳＩＤを取得するＳＳＩＤ取得部と、前記ＳＳＩＤ取得部が取得したＳＳＩＤから、エリアワンセグメント放送のチャンネル情報を含む文字列によって形成されたＳＳＩＤであることを示す識別子を検出したとき、前記ＳＳＩＤより前記チャンネル情報を抽出するＳＳＩＤ解析部と、前記ＳＳＩＤ解析部が抽出した前記チャンネル情報に基づいて、映像表示部に表示され、エリアワンセグメント放送を選局するための文字または画像を含む視覚情報を生成する視覚情報生成部とを備えることを特徴とするワンセグメント放送受信装置を提供する。
【発明の効果】
【００１１】
本発明のエリアワンセグメント放送のチャンネル情報送信装置によれば、ユーザが煩雑な操作を行うことなく、ワンセグメント放送受信装置は受信可能なエリアワンセグメント放送のチャンネル情報を入手することができる。本発明のワンセグメント放送受信装置によれば、ユーザが煩雑な操作を行うことなく、受信可能なエリアワンセグ放送のチャンネルを選択することができる。
【図面の簡単な説明】
【００１２】
【図１】一実施形態のエリアワンセグメント放送のチャンネル情報送信装置を含むエリアワンセグメント放送送信システムを示す図である。
【図２】図１中の無線ＬＡＮ制御機２２の具体的構成例を示すブロック図である。
【図３】ＳＳＩＤの命名規則の一例を示す図である。
【図４】図３に示す命名規則に従ったＳＳＩＤの具体的な一例を示す図である。
【図５】一実施形態のワンセグメント放送受信装置を示すブロック図である。
【図６】図５中の制御部１０１の機能的な内部構成を示すブロック図である。
【図７】一実施形態のワンセグメント放送受信装置の動作、及び、ワンセグメント放送受信プログラムがコンピュータに実行させる処理の一部を示すフローチャートである。
【図８】ワンセグメント放送の選局処理、及び、ワンセグメント放送受信プログラムがコンピュータに実行させる処理の一部を示すフローチャートである。
【図９】図５中の映像表示部１０７に表示される選局可能なチャンネル一覧の例を示す図である。
【発明を実施するための形態】
【００１３】
以下、一実施形態のエリアワンセグメント放送のチャンネル情報送信装置及びワンセグメント放送受信装置について、添付図面を参照して説明する。
【００１４】
＜エリアワンセグメント放送のチャンネル情報送信装置＞
図１において、アンテナ１０は、エリアワンセグ放送の放送電波を送出する。エリアワンセグ放送は、地上デジタル放送及び通常のワンセグ放送と同じＵＨＦ帯の放送電波を利用する。アンテナ１０は、アンテナ１０から十数メートル、最大でも１ｋｍ程度の範囲の比較的狭い範囲でエリアワンセグ放送の放送電波を送出する。
【００１５】
コンテンツ制御機１２は、エリアワンセグ放送として送信するコンテンツである放送用デジタル信号をコンバータ１１に供給する。コンバータ１１は、放送用デジタル信号を放送電波に変換する。アンテナ１０は、コンバータ１１によって変換された放送電波を送出する。
【００１６】
アンテナ１０より送出されるエリアワンセグ放送の放送範囲内には、無線ＬＡＮ送信機２０ａ，２０ｂが設置されている。無線ＬＡＮ送信機２０ａ，２０ｂのうちの任意の無線ＬＡＮ送信機または無線ＬＡＮ送信機２０ａ，２０ｂの総称を無線ＬＡＮ送信機２０とする。無線ＬＡＮ送信機２０は１または複数である。
【００１７】
無線ＬＡＮ送信機２０による電波の到達範囲は、数十メートルから１００メートル程度である。アンテナ１０より送出されるエリアワンセグ放送の放送範囲が無線ＬＡＮ送信機２０による電波の到達範囲より広い場合には、複数の無線ＬＡＮ送信機２０を設けるのがよい。
【００１８】
エリアワンセグ放送の放送範囲の全てを無線ＬＡＮ送信機２０による電波の到達範囲とするのがよい。複数の無線ＬＡＮ送信機２０それぞれの電波の到達範囲は重なっていてもよい。
【００１９】
無線ＬＡＮ送信機２０は、IEEE802.11またはWi-Fiと称されている規格に沿って、無線ＬＡＮの電波を送出する。
【００２０】
無線ＬＡＮ制御機２２は、一実施形態のエリアワンセグメント放送のチャンネル情報送信装置を構成する。無線ＬＡＮ制御機２２は、後述するように無線ＬＡＮ送信機２０におけるＳＳＩＤを設定して、ＳＳＩＤを無線ＬＡＮ送信機２０より送信させるように制御する。
【００２１】
図１においては、１つの無線ＬＡＮ制御機２２が無線ＬＡＮ送信機２０ａ，２０ｂの双方を制御する。それぞれの無線ＬＡＮ送信機２０を別々の無線ＬＡＮ制御機２２によって制御してもよい。エリアワンセグ放送の放送範囲内における全ての無線ＬＡＮ送信機２０を１つの無線ＬＡＮ制御機２２で制御してもよい。
【００２２】
エリアワンセグ放送の放送範囲内における無線ＬＡＮ送信機２０を複数のグループに分け、グループごとに１つの無線ＬＡＮ制御機２２を設けて制御してもよい。
【００２３】
図１では、無線ＬＡＮ送信機２０と無線ＬＡＮ制御機２２とを離間して設けているが、無線ＬＡＮ送信機２０と無線ＬＡＮ制御機２２とを一体としてもよい。図１では、コンテンツ制御機１２と無線ＬＡＮ制御機２２とを同じ建屋１５内に設置しているが、コンテンツ制御機１２と無線ＬＡＮ制御機２２とを別々の場所に設置してもよい。
【００２４】
図２に示すように、無線ＬＡＮ制御機２２は、ＳＳＩＤ設定部２２１とＳＳＩＤ送信制御部２２２とを有する。ＳＳＩＤ設定部２２１には、後述する命名規則に従って、３２オクテット以内でＳＳＩＤが設定されている。ＳＳＩＤ設定部２２１は記憶部を有し、設定されたＳＳＩＤを記憶している。
【００２５】
ＳＳＩＤ送信制御部２２２は、無線ＬＡＮ送信機２０によってＳＳＩＤをブロードキャストの方式で送信するよう無線ＬＡＮ送信機２０を制御する。無線ＬＡＮ送信機２０は、ＳＳＩＤを不特定多数に同報送信する。
【００２６】
図３を用いて、ＳＳＩＤの命名規則の一例を説明する。図３に示すＳＳＩＤ３０は、AREAONESEGなる接頭語３０１を含む。接頭語３０１は、ＳＳＩＤ３０がエリアワンセグ放送のチャンネル情報を含む文字列よりなるＳＳＩＤであることを示す。
【００２７】
即ち、接頭語３０１がAREAONESEGなる文字列であれば、ＳＳＩＤ３０はエリアワンセグ放送のチャンネル情報をワンセグメント放送受信装置に知らせるために送信されたＳＳＩＤであるということである。
【００２８】
AREAONESEGは接頭語３０１の一例である。予め、所定の英数字よりなる文字列を、ＳＳＩＤがエリアワンセグ放送のチャンネル情報を含むことを示す文字列であると定義付けておけばよい。
【００２９】
接頭語３０１は、ＳＳＩＤがエリアワンセグ放送のチャンネル情報を含むことを意味する識別子の一例である。文字列の先頭を識別子とするのがよいが、必ずしも先頭でなくてもよい。
【００３０】
ＳＳＩＤ３０は、接頭語３０１の次のハイフンに続き、XXなる物理チャンネル番号３０２を含む。日本国内の地上デジタル放送ではＵＨＦ帯の４７０Ｈｚから７７０Ｈｚを５０分割して、物理チャンネルとして１３チャンネルから６４チャンネルを割り当てている。よって、物理チャンネルが分かれば、使用される周波数帯が分かる。
【００３１】
物理チャンネルは数字２桁であるため、物理チャンネル番号３０２は２桁でよい。ＳＳＩＤ３０は、少なくとも、接頭語３０１（識別子）と物理チャンネル番号３０２を含めばよい。
【００３２】
ＳＳＩＤ３０は、物理チャンネル番号３０２の次のハイフンに続き、YYなる論理チャンネル番号３０３を含む。論理チャンネル番号は、ユーザが容易にチャンネルを選択できるように設定された番号である。
【００３３】
日本国内の地上デジタル放送では１〜１２の論理チャンネル番号がある。ユーザは、リモートコントローラ等によって１〜１２の論理チャンネル番号を選択して、視聴しようとする放送局を容易に選局することができる。
【００３４】
論理チャンネルは１〜１２であるから、論理チャンネル番号３０３も２桁でよい。ＳＳＩＤ３０は、接頭語３０１（識別子）と物理チャンネル番号３０２とに加えて、論理チャンネル番号３０３を含むことが好ましい。
【００３５】
ＳＳＩＤ３０は、論理チャンネル番号３０３の次のハイフンに続き、TEST_HOUSOUなる放送局名３０４を含む。ＳＳＩＤ３０は、接頭語３０１（識別子）と物理チャンネル番号３０２と論理チャンネル番号３０３とに加えて、放送局名３０４を含むことが好ましい。
【００３６】
図４は、以上の命名規則に従ったＳＳＩＤの具体的な一例である。図４に示すＳＳＩＤ３１は、物理チャンネルが３３、論理チャンネルが８、放送局名がSAMPLEであることを示す。
【００３７】
エリアワンセグ放送の事業者は、コンテンツ制御機１２によって、空いている物理チャンネルと論理チャンネルとを用いて、アンテナ１０よりエリアワンセグ放送の放送電波を送出させる。
【００３８】
これに併せて、事業者は、図４に示すＳＳＩＤ３１のようなＳＳＩＤをＳＳＩＤ設定部２２１に設定する。事業者は、ＳＳＩＤ送信制御部２２２によって、無線ＬＡＮ送信機２０より無線ＬＡＮの電波によってＳＳＩＤを送信させる。
【００３９】
ところで、無線ＬＡＮ送信機２０は、エリアワンセグ放送のチャンネル情報を送信するため専用に設けてもよいし、一般的な無線ＬＡＮのアクセスポイントにエリアワンセグ放送のチャンネル情報を送信する機能を付加してもよい。
【００４０】
前者であれば、無線ＬＡＮ送信機２０は、ＳＳＩＤを含むデータパケットをブロードキャストの方式で送信する機能のみを有すればよい。後者であれば、無線ＬＡＮ送信機２０は、ＳＳＩＤを含むデータパケットをブロードキャストの方式で送信する機能の他、アクセスポイントとしての接続機能やインターネットへの接続機能を有すればよい。
【００４１】
以上のようにして、本実施形態のエリアワンセグメント放送のチャンネル情報送信装置によれば、エリアワンセグメント放送のチャンネル情報をエリアワンセグ放送の放送範囲に送信することができる。
【００４２】
ワンセグメント放送受信装置は、無線ＬＡＮの電波を受信してＳＳＩＤを解析すれば、受信可能なエリアワンセグメント放送のチャンネル情報を入手することが可能である。または、ワンセグメント放送受信装置は、無線ＬＡＮの受信機が無線ＬＡＮの電波を受信して入手したＳＳＩＤの情報を取得すれば、受信可能なエリアワンセグメント放送のチャンネル情報を入手することが可能である。
【００４３】
よって、ユーザは煩雑な操作を行うことなく、ワンセグメント放送受信装置は、受信可能なエリアワンセグメント放送のチャンネル情報を入手することができる。
【００４４】
＜ワンセグメント放送受信装置＞
図５を用いて、一実施形態のワンセグメント放送受信装置の構成及び動作を説明する。一実施形態のワンセグメント放送受信装置は、エリアワンセグ放送だけでなく、通常のワンセグ放送も受信する受信端末である。一実施形態のワンセグメント放送受信装置は、１２セグメントの地上デジタル放送とワンセグ放送の双方を受信する受信端末であってもよい。
【００４５】
図５において、チューナ１００にはアンテナ100aが接続されている。アンテナ100aは、ワンセグ放送の電波を受信する。チューナ１００は、制御部１０１による制御に基づいて、アンテナ100aで受信した電波から特定の周波数帯域を抽出して、デジタル信号に復調する。
【００４６】
チューナ１００は、操作部１０４によって選択された論理チャンネルに対応する物理チャンネルの周波数帯域の信号を復調する。
【００４７】
デコーダ１０２は、制御部１０１による制御に基づいて、チューナ１００より入力されたデジタル信号を映像信号及び音声信号に復号する。音声信号は図示していないスピーカに供給され、ワンセグ放送のコンテンツの音声が出力される。
【００４８】
制御部１０１は、ＣＰＵによって構成することができる。制御部１０１には、ワンセグメント放送受信装置を動作させるためのアプリケーションソフトウェア（ワンセグメント放送受信プログラム）を記憶するＲＯＭ１０３が接続されている。ＲＯＭ１０３は、電気的に書き換え可能なフラッシュＲＯＭであってもよい。
【００４９】
制御部１０１は、ワンセグメント放送受信プログラムを実行させることによって、ワンセグメント放送受信装置によるワンセグ放送（エリアワンセグ放送を含む）の受信を実現させる。
【００５０】
制御部１０１に接続された操作部１０４は、ワンセグメント放送受信装置の筐体に設けられた操作ボタンであってもよいし、リモートコントローラであってもよい。
【００５１】
制御部１０１には、無線ＬＡＮ受信部２００が接続されている。無線ＬＡＮ受信部２００にはアンテナ200aが接続されている。アンテナ200aは、上述した無線ＬＡＮ送信機２０より送信された無線ＬＡＮの電波を受信する。
【００５２】
グラフィックス描画部１０５は、制御部１０１による制御に基づいて、所定の画像情報を生成する。グラフィックス描画部１０５は、文字情報を生成してもよい。グラフィックス描画部１０５は、映像表示部に表示される文字または画像を含む視覚情報を生成すればよい。グラフィックス描画部１０５は、後述のように、エリアワンセグメント放送を選局するための画像情報（視覚情報）を生成する。
【００５３】
重畳部１０６は、デコーダ１０２より出力された映像信号にグラフィックス描画部１０５で生成された画像情報を重畳する。
【００５４】
重畳部１０６は、画像情報を重畳した映像信号を映像表示部１０７に供給する。グラフィックス描画部１０５が画像情報を生成しない場合には、重畳部１０６は、デコーダ１０２からの映像信号を映像表示部１０７に供給する。映像表示部１０７は、入力された映像信号に基づき、ワンセグ放送のコンテンツである映像を表示する。
【００５５】
制御部１０１には、不揮発性メモリ１０８が接続されている。不揮発性メモリ１０８は、各種の情報を記憶する。不揮発性メモリ１０８の機能を制御部１０１の内部に設けてもよい。
【００５６】
図６を用いて、制御部１０１の機能的な内部構成及び動作を説明する。図６は、制御部１０１によってワンセグメント放送受信プログラムを実行させたときの、制御部１０１の機能的な内部構成を含む。
【００５７】
制御部１０１は、機能的な内部構成として、ユーザインタフェース（ＵＩ）部１１１，グラフィック生成部１２１，選局部１３１，デコード指示部１４１，無線ＬＡＮスキャン部１５１，ＳＳＩＤ解析部１６１を有する。
【００５８】
ＵＩ部１１１は、ユーザによる操作部１０４の操作を受け付けて、制御部１０１内部の動作を指示する。操作部１０４の操作が映像表示部１０７に所定の画像情報を表示させる指示であれば、ＵＩ部１１１は、グラフィック生成部１２１にグラフィックデータの生成を指示する。グラフィックス描画部１０５は、グラフィック生成部１２１で生成されたグラフィックデータに基づいて画像情報を描画する。
【００５９】
操作部１０４の操作がワンセグ放送を選局する指示であれば、ＵＩ部１１１は、チューナ１００が復調するワンセグ放送を選局させるよう、選局部１３１に指示する。チューナ１００は、選局部１３１による指示に基づいてワンセグ放送を選局する。
【００６０】
操作部１０４の操作がチャンネルスキャンを実行する指示であれば、ＵＩ部１１１は、チューナ１００によってチャンネルスキャンを実行させるよう、選局部１３１に指示する。ＵＩ部１１１は、チャンネルスキャンの結果得られた放送されているワンセグ放送のチャンネル情報を不揮発性メモリ１０８に記憶させる。
【００６１】
ＵＩ部１１１は、デコーダ１０２によって映像信号及び音声信号の復号させるよう、デコード指示部１４１に指示する。デコーダ１０２は、デコード指示部１４１による指示に基づいて、チューナ１００より入力されたデジタル信号を映像信号及び音声信号に復号する。
【００６２】
ＵＩ部１１１は、無線ＬＡＮ受信部２００によって、ワンセグメント放送受信装置周辺にある無線ＬＡＮ送信機２０によって送信されるＳＳＩＤを取得させるよう、無線ＬＡＮスキャン部１５１に指示する。
【００６３】
無線ＬＡＮ受信部２００は、無線ＬＡＮスキャン部１５１よる指示に基づいて、無線ＬＡＮ送信機２０によって送信される無線ＬＡＮの電波を受信して、デジタル信号に復号する。
【００６４】
無線ＬＡＮスキャン部１５１は、無線ＬＡＮ受信部２００よりデータパケットに含まれるＳＳＩＤを取得する。無線ＬＡＮスキャン部１５１は、無線ＬＡＮの電波によって送信されるＳＳＩＤを取得するＳＳＩＤ取得部として機能する。
【００６５】
ＵＩ部１１１は、無線ＬＡＮスキャン部１５１が取得したＳＳＩＤを解析するよう、ＳＳＩＤ解析部１６１に指示する。ＳＳＩＤ解析部１６１は、取得したＳＳＩＤを解析して、ＳＳＩＤがエリアワンセグ放送のチャンネル情報を含む場合には、チャンネル情報を抽出する。
【００６６】
ＳＳＩＤ解析部１６１は、ＳＳＩＤが上述した識別子（接頭語３０１）を含めば、エリアワンセグ放送のチャンネル情報を含むＳＳＩＤであると認識することができる。
【００６７】
ＳＳＩＤ解析部１６１がエリアワンセグ放送のチャンネル情報を抽出した場合には、チャンネル情報をＵＩ部１１１に通知する。グラフィック生成部１２１は、ＵＩ部１１１からチャンネル情報を受け取る。これによって、グラフィック生成部１２１は、エリアワンセグ放送のチャンネル情報を含む画像情報を生成することができる。
【００６８】
図７に示すフローチャートを用いて、本実施形態のワンセグメント放送受信装置の動作を改めて説明する。図７に示すフローチャートは、ワンセグメント放送受信プログラムがコンピュータ（制御部１０１）に実行させる、エリアワンセグ放送を探索させる処理の一部を示している。
【００６９】
図７において、ワンセグメント放送受信装置が動作を開始してワンセグメント放送受信プログラムが起動すると、制御部１０１は、ステップＳ１にて、無線ＬＡＮ受信部２００における無線ＬＡＮの受信を有効化させる。
【００７０】
制御部１０１（無線ＬＡＮスキャン部１５１）は、ステップＳ２にて、無線ＬＡＮ受信部２００が復号したデータパケットをスキャンする。制御部１０１（無線ＬＡＮスキャン部１５１）は、ステップＳ３にて、ＳＳＩＤが見つかったか否かを判定する。ＳＳＩＤが見つからなければ（NO）、制御部１０１は、ステップＳ２の処理を繰り返す。
【００７１】
ＳＳＩＤが見つかったら（YES）、制御部１０１（ＳＳＩＤ解析部１６１）は、ステップＳ４にて、ＳＳＩＤを解析する。制御部１０１（ＳＳＩＤ解析部１６１）は、ステップＳ５にて、エリアワンセグ放送のチャンネル情報を含むＳＳＩＤがあるか否かを判定する。
【００７２】
具体的には、制御部１０１（ＳＳＩＤ解析部１６１）は、ＳＳＩＤが、エリアワンセグ放送のチャンネル情報を含むＳＳＩＤであることを示す識別子を含むか否かを判定する。上述の例では、制御部１０１（ＳＳＩＤ解析部１６１）は、ＳＳＩＤが、AREAONESEGなる接頭語３０１を含むか否かを判定する。
【００７３】
エリアワンセグ放送のチャンネル情報を含むＳＳＩＤがなければ（NO）、制御部１０１は、処理をステップＳ２に戻し、ステップＳ２以降の処理を繰り返す。
【００７４】
エリアワンセグ放送のチャンネル情報を含むＳＳＩＤがあれば（YES）、制御部１０１（ＳＳＩＤ解析部１６１）は、ステップＳ６にて、チャンネル情報を抽出する。図４に示すＳＳＩＤ３１を例とすると、制御部１０１（ＳＳＩＤ解析部１６１）は、物理チャンネル３３、論理チャンネル８、放送局名SAMPLEを抽出する。
【００７５】
制御部１０１（ＳＳＩＤ解析部１６１）は、ステップＳ７にて、チャンネル情報をＵＩ部１１１に通知する。ＵＩ部１１１は、エリアワンセグ放送のチャンネル情報を不揮発性メモリ１０８に記憶させる。
【００７６】
制御部１０１は、ステップＳ１〜Ｓ７の処理によって、エリアワンセグ放送が受信可能であり、ワンセグメント放送受信装置はエリアワンセグ放送を選局可能であることを認識する。
【００７７】
次に、制御部１０１（無線ＬＡＮスキャン部１５１）は、ステップＳ８にて、無線ＬＡＮ受信部２００が復号したデータパケットのスキャンを継続する。ステップＳ８以降の処理は、ワンセグメント放送受信装置がエリアワンセグ放送を引き続き選局可能であるか否かを監視する処理である。
【００７８】
制御部１０１（ＳＳＩＤ解析部１６１）は、ステップＳ９にて、ステップＳ３にて見つかったエリアワンセグ放送のチャンネル情報を含むＳＳＩＤがまだ存在しているか否かを判定する。
【００７９】
ステップＳ３にて見つかったＳＳＩＤが存在していなければ（NO）、制御部１０１（ＳＳＩＤ解析部１６１）は、ステップＳ１０にて、エリアワンセグ放送の放送範囲外であると判定する。制御部１０１（ＳＳＩＤ解析部１６１）は、ステップＳ１１にて、放送範囲外となったことをＵＩ部１１１に通知して、処理をステップＳ２に戻す。
【００８０】
ステップＳ３にて見つかったＳＳＩＤがまだ存在していれば（YES）、制御部１０１（無線ＬＡＮスキャン部１５１）は、処理をステップＳ８に戻し、データパケットのスキャンを継続する。
【００８１】
図８に示すフローチャートを用いて、ユーザがワンセグ放送の選局操作を行った場合のワンセグメント放送受信装置の動作を説明する。図８に示すフローチャートも、ワンセグメント放送受信プログラムがコンピュータ（制御部１０１）に実行させる、エリアワンセグ放送を探索させる処理の一部を示している。
【００８２】
ワンセグメント放送受信装置は、予め、ユーザ（ワンセグメント放送受信装置）が位置している地域を設定して、受信可能なワンセグ放送のスキャンを実行しているとする。ワンセグメント放送受信装置は、その地域における受信可能なワンセグ放送の物理チャンネル（または周波数）と論理チャンネルと放送局名の情報を不揮発性メモリ１０８に記憶しているとする。
【００８３】
図８において、制御部１０１（ＵＩ部１１１）は、ステップＳ２１にて、ワンセグ放送の選局指示があったか否かを判定する。選局指示がなければ（NO）、制御部１０１（ＵＩ部１１１）はステップＳ２１の処理を繰り返す。
【００８４】
選局指示があれば（YES）、制御部１０１（グラフィック生成部１２１）は、ステップＳ２２にて、映像表示部１０７にチャンネル一覧を表示させる。図７で説明したエリアワンセグ放送の探索処理によってエリアワンセグ放送が見つからなければ、制御部１０１は、例えば図９の（ａ）に示すような通常のワンセグ放送のみよりなるチャンネル一覧５０ａを表示させる。
【００８５】
図７で説明したエリアワンセグ放送の探索処理によってエリアワンセグ放送が見つかれば、制御部１０１は、例えば図９の（ｂ）に示すような通常のワンセグ放送とエリアワンセグ放送とが混在したチャンネル一覧５０ｂを表示させる。
【００８６】
図９の（ａ），（ｂ）に示すチャンネル一覧５０ａ，５０ｂは、丸数字で示す論理チャンネルの番号と放送局名とを示す。エリアワンセグ放送が見つかった場合には、図９の（ｂ）に示すように、通常のワンセグ放送と併せて、エリアワンセグ放送の論理チャンネルと、エリアワンセグ放送の放送局名とが示されている。
【００８７】
なお、一旦エリアワンセグ放送が見つかって図９の（ｂ）に示すチャンネル一覧５０ｂが表示された場合でも、図７のステップＳ１０にてエリアワンセグ放送の放送範囲外であると判定された場合には、制御部１０１は、図９の（ａ）に示すチャンネル一覧５０ａに戻す。
【００８８】
グラフィックス描画部１０５及びグラフィック生成部１２１は、映像表示部１０７に表示するための、エリアワンセグ放送を選局するための文字または画像を含む視覚情報を生成する視覚情報生成部として機能している。
【００８９】
グラフィック生成部１２１は、地上デジタル放送のチャンネルスキャンによって通常のワンセグ放送を選局するための視覚情報を生成する。グラフィック生成部１２１は、ＳＳＩＤ解析部１６１が抽出したチャンネル情報に基づいて、エリアワンセグ放送を選局するための視覚情報を生成する。
【００９０】
グラフィック生成部１２１は、通常のワンセグ放送の一覧とは別に、エリアワンセグ放送のチャンネル情報を示す視覚情報を生成して、映像表示部１０７に表示させてもよい。但し、図９の（ｂ）に示すチャンネル一覧５０ｂのように、通常のワンセグ放送とエリアワンセグ放送とを混在させたチャンネル一覧とするのがよい。
【００９１】
以下、図８に示すフローチャートを、エリアワンセグ放送が見つかって図９の（ｂ）に示すチャンネル一覧５０ｂが表示されている場合で説明する。
【００９２】
図８に戻り、制御部１０１（ＵＩ部１１１）は、ステップＳ２３にて、図９の（ｂ）に示すチャンネル一覧５０ｂの中からいずれかが選局されたか否かを判定する。選局されなかったら（NO）、制御部１０１（ＵＩ部１１１）は、ステップＳ２４にて、チャンネル一覧５０ｂの表示を解除する指示がなされたか否かを判定する。
【００９３】
表示解除の指示がなされなければ（NO）、制御部１０１（ＵＩ部１１１）は、ステップＳ２４に戻してステップＳ２４の処理を繰り返す。
【００９４】
ステップＳ２３にていずれかが選局されたら（YES）、制御部１０１（グラフィック生成部１２１）は、ステップＳ２５にて、チャンネル一覧５０ｂの表示を解除する。制御部１０１（選局部１３１及びデコード指示部１４１）は、ステップＳ２６にて、選局されたワンセグ放送（エリアワンセグ放送）を受信して復号させ、処理をステップＳ２１に戻す。
【００９５】
ステップＳ２４にて表示解除の指示がなされれば（YES）、制御部１０１（グラフィック生成部１２１）は、ステップＳ２７にて、チャンネル一覧５０ｂの表示を解除して処理をステップＳ２１に戻す。
【００９６】
本実施形態のワンセグメント放送受信装置によれば、地上デジタル放送のチャンネルスキャンを実行しなくても、ユーザが位置している地域で放送されているエリアワンセグ放送のチャンネル情報を得ることができる。ユーザは、地域を移動するたびにチャンネルスキャンを実行する必要はない。
【００９７】
本実施形態のワンセグメント放送受信装置によれば、ユーザは、通常のワンセグ放送を選局するのと同様に、エリアワンセグ放送を選局することができる。
【００９８】
ところで、図５に示す一実施形態のワンセグメント放送受信装置は、無線ＬＡＮ受信部２００を備えて構成されているが、ワンセグメント放送受信装置は必ずしも無線ＬＡＮ受信部を備えていなくてもよい。
【００９９】
制御部１０１が、ワンセグメント放送受信装置の外部に設けられている無線ＬＡＮ受信部が無線ＬＡＮの電波を受信してデジタル信号に復号したデータを受け取って、ＳＳＩＤを取得すればよい。または、制御部１０１が、ワンセグメント放送受信装置の外部に設けられている無線ＬＡＮ受信部が解析したＳＳＩＤを取得すればよい。
【０１００】
制御部１０１（ＳＳＩＤ取得部）は、どのような方法であっても、最終的に、無線ＬＡＮの電波によって送信されるＳＳＩＤを取得すればよい。
【０１０１】
＜ワンセグメント放送受信プログラム＞
ワンセグメント放送受信プログラムが、ワンセグメント放送受信装置に搭載されているコンピュータに実行させるステップを改めて説明する。
【０１０２】
ワンセグメント放送受信プログラムは、コンピュータに、無線ＬＡＮの電波によって送信されるＳＳＩＤを取得するステップを実行させる。このステップは、図７のステップＳ２，Ｓ３に相当する。
【０１０３】
ワンセグメント放送受信プログラムは、コンピュータに、取得したＳＳＩＤを解析し、ＳＳＩＤが、エリアワンセグ放送のチャンネル情報を含む文字列によって形成されたＳＳＩＤであることを示す識別子を含むとき、ＳＳＩＤよりチャンネル情報を抽出するステップを実行させる。このステップは、図７のステップＳ４〜Ｓ６に相当する。
【０１０４】
ワンセグメント放送受信プログラムは、コンピュータに、抽出したチャンネル情報に基づいて、映像表示部１０７に表示され、エリアワンセグ放送を選局するための文字または画像を含む視覚情報を生成するステップを実行させる。このステップは、図８のステップＳ２２に相当する。
【０１０５】
なお、視覚情報に基づいてエリアワンセグ放送が選局された場合には、ワンセグメント放送受信プログラムは、コンピュータに、エリアワンセグ放送を受信させるステップを実行させる。このステップは、図８のステップＳ２６に相当する。
【０１０６】
ところで、近年の携帯電話（スマートフォンを含む）等の携帯端末は、ワンセグ放送の受信機と無線ＬＡＮ受信部を備えていることが多い。ワンセグ放送の受信機と無線ＬＡＮ受信部を備える携帯端末は、ワンセグメント放送受信プログラムをダウンロードすれば、本実施形態のワンセグメント放送受信装置として動作することになる。
【０１０７】
ワンセグメント放送受信プログラムは、インターネット等の電気通信回線を介してワンセグメント放送受信装置に提供することができる。ワンセグメント放送受信プログラムを半導体メモリや光ディスク等の任意の記録媒体に記録して、ワンセグメント放送受信プログラムをワンセグメント放送受信装置にインストールさせるために提供することも可能である。
【０１０８】
本発明のエリアワンセグメント放送のチャンネル情報送信装置及びワンセグメント放送受信装置は、以上説明した本実施形態に限定されるものではなく、本発明の要旨を逸脱しない範囲において種々変更可能である。
【符号の説明】
【０１０９】
２０ａ，２０ｂ  無線ＬＡＮ送信機
２２  無線ＬＡＮ制御機（チャンネル情報送信装置）
１０５  グラフィックス描画部（視覚情報生成部）
１２１  グラフィック生成部（視覚情報生成部）
１５１  無線ＬＡＮスキャン部（ＳＳＩＤ取得部）
１６１  ＳＳＩＤ解析部
２２１  ＳＳＩＤ設定部
２２２  ＳＳＩＤ送信制御部
【図１】
2015136085.tif 000003
【図２】
2015136085.tif 000004
【図３】
2015136085.tif 000005
【図４】
2015136085.tif 000006
【図５】
2015136085.tif 000007
【図６】
2015136085.tif 000008
【図７】
2015136085.tif 000009
【図８】
2015136085.tif 000010
【図９】
2015136085.tif 000011